(57)【要約】【課題】  簡素な構造で、ハンガーディスプレイでもカウンターディスプレイでもできるようにするともに、特異な形態により消費者の購買意欲に働きかけられるような、商品陳列具の提供。【解決手段】  剛性を有する背板部１４と、該背板部１４の表面に固定され、可撓性又は柔軟性を有する表板部１５と、上記背板部１４の表面における表板部１５の固定位置よりも下側に引き起し可能に設けられ、引き起し時には商品が収納可能な引き起し箱部１６を有し、上記表板部１５における引き起し箱部１６対応部位に、引き起した引き起し箱部１６によって前方に押し出される訴求部１３を形成するとともに、引き起し箱部１６の上面を開口する切欠部１７を形成した商品陳列具１１。【選択図】    図１
0003105793.tif 000002
【実用新案登録請求の範囲】
【請求項１】
剛性を有する背板部と、該背板部の表面に固定され、可撓性又は柔軟性を有する表板部と、上記背板部の表面における表板部の固定位置よりも下側に引き起し可能に設けられ、引き起し時には商品が収納可能な引き起し箱部とを有し、
上記表板部における引き起し箱部対応部位に、引き起した引き起し箱部によって前方に押し出される訴求部を形成するとともに、引き起し箱部の上面を開口する切欠部を形成した
商品陳列具。
【請求項２】
前記表板部の長さが、引き起こし箱部を引き起した時に、前記訴求部が側面視傾斜Ｓ字曲線を描く長さである
請求項１に記載の商品陳列具。
【請求項３】
前記訴求部の下側に、引き起し箱部を引き起したとき訴求部から続いて前方に延びる傾斜面部と、該傾斜面部の下端から延設され、上記引き起し箱部との間を離間するスペーサ部を設けた
請求項１又は請求項２に記載の商品陳列具。
【請求項４】
前記引き起し箱部の左右両側壁に、前側が低くなるアール状又は傾斜状の縁部を形成した
請求項１から請求項３のうちのいずれか一項に記載の商品陳列具。
【請求項５】
前記引き起し箱部内に収納される仕切り部材を備えた
請求項１から請求項４のうちのいずれか一項に記載の商品陳列具。
【請求項６】
前記背板部の上端部及び下端部に、係止用の貫通孔を形成した
請求項１から請求項５のうちのいずれか一項に記載の商品陳列具。
【考案の詳細な説明】
【技術分野】
【０００１】
この考案は、例えば化粧品類や菓子類、ライタ等の小物類など、各種商品を販売する時に用いられるような商品陳列具に関する。
【背景技術】
【０００２】
商品陳列の良し悪しは、商品の販売効果や販売効率に大きく影響する。このため、これまで様々な商品陳列具が提案されて来ている。そして、特に近年では、狭いスペースに多くの商品を並べるドラッグストアの普及もあり、より機能的な商品陳列具が求められている。
【０００３】
既に提案された商品陳列具としては、例えば消費者の購買意欲に働きかけるように工夫したものとして、下記特許文献１があり、吊り下げて陳列するハンガディスプレイでも、置いて陳列するカウンタディスプレイでもできるように工夫されたものとして、下記特許文献２がある。
【０００４】
【特許文献１】特開２０００−１５２８５８号公報
【特許文献２】登録実用新案第３０７６５０３号公報
【考案の開示】
【考案が解決しようとする課題】
【０００５】
上記特許文献１に開示された発明は、商品をひとつずつ吊り下げて陳列するための商品陳列用台紙であって、台紙の一部の面を、表面に突出させることができるように面の周囲に切り欠き線を設けて、意匠性に富み、商品を需要者に印象付けるのに効果を発揮するようにされている。
【０００６】
しかし、この商品陳列用台紙では、吊り下げてしか陳列できない上に、上記面を切り欠き線で切り離して浮き上がらせるだけであるので、その面を浮き上がらせた状態を維持することはできない。何らかのものに当たって潰されてしまえば、それだけで上記効果は得られない。
【０００７】
上記特許文献２に開示された考案は、壁に吊り下げて陳列することもショーケース等の上に立脚設置することもできるようにした商品陳列具であるが、２種類の陳列方法を変更するには、商品陳列具の背面部分を大きく組替えなければならない。このため、作業には手間がかかり、面倒である。
【０００８】
そこでこの考案は、簡素な構造で、ハンガーディスプレイでもカウンターディスプレイでもできるようにするともに、特異な形態により消費者の購買意欲に働きかけられるような、商品陳列具の提供を主たる課題とする。
【課題を解決するための手段】
【０００９】
そのための手段は、剛性を有する背板部と、該背板部の表面に固定され、可撓性又は柔軟性を有する表板部と、上記背板部の表面における表板部の固定位置よりも下側に引き起し可能に設けられ、引き起し時には商品が収納可能な引き起し箱部とを有し、上記表板部における引き起し箱部対応部位に、引き起した引き起し箱部によって前方に押し出される訴求部を形成するとともに、引き起し箱部の上面を開口する切欠部を形成した商品陳列具であることを特徴とする。
【００１０】
すなわち、背板部と表板部と引き起し箱部を有する商品陳列具は、平板状であり、引き起し箱部を引き起すことにより立体的に組み立てられる。このとき表板部に形成された訴求部は、引き起された引き起し箱部によって前方に押し出され、その可撓性又は柔軟性により、傾斜状や湾曲状など適宜の形態をとる。また、切欠部は、引き起し箱部の上面を開口し、商品の収納を許容する。
【００１１】
引き起し箱部に商品を収納すると、上記訴求面は、商品の近傍において、上述のように傾斜状や湾曲状になって、前方に押し出されており、商品を装飾する。この訴求部による装飾が消費者の購買意欲に働きかける。
【００１２】
また、陳列に際しては、背板部を適宜の手段で吊り下げて陳列する（ハンガーディスプレイ）ほか、引き起し箱部及び／又は背板部を設置させて立てて陳列する（カウンターディスプレイ）。
【００１３】
上記表板部の長さは、引き起こし箱部を引き起した時に、前記訴求部が側面視傾斜Ｓ字曲線を描く長さであるとよい。
【００１４】
また、上記訴求部の下側に、引き起し箱部を引き起したとき訴求部から続いて前方に延びる傾斜面部と、該傾斜面部の下端から延設され、上記引き起し箱部との間を離間するスペーサ部を設けるもよい。上記傾斜面部を広告スペースにすることができるとともに、スペーサ部との協働で、訴求部を安定して支持できる。
【００１５】
さらに、上記引き起し箱部の左右両側壁に、前側が低くなるアール状又は傾斜状の縁部を形成すると、組立て時に引き起し箱部を引き起す作業が容易である。
【００１６】
上記引き起し箱部内に収納される仕切り部材を備えるもよい。仕切り部材が、複数の商品を入れるときの仕切りとなるとともに、引き起し箱部の形態を保持する役目も果たす。
【００１７】
上記背板部の上端部及び下端部に、紐やフック、ピン等を係止する係止用の貫通孔を形成すると、吊り下げて陳列する時に、複数個の商品陳列具を連結することができる。
【考案の効果】
【００１８】
この考案の請求項１に係る考案によれば、背板部と表板部と引き起し箱部とを有し、引き起し箱部を引き起した時に前方に押し出される訴求部を、上記表板部に設けたので、背板の表面に単に箱部を設けたものとは異質な、新規な外観を得られる。このため、消費者の購買意欲に働きかけることができる。
【００１９】
そのうえ、上記訴求部は、いわば引き起し箱部に支えられて前方に突出しているので、また、引き起し箱部には商品を収納するので、訴求部が後方へ押し下げられてしまうようなことはなく、常に訴求部は所望の形態を維持でき、効果を持続できる。
【００２０】
また、商品の陳列に際しては、偏平状の形態から、引き起し箱部を引き起して組み立てればよい。このため、通常は嵩が低く、取り扱いが便利であるとともに、組立ては容易である。
【００２１】
そして組み立てた時には、立体的な形状になって、引き起された引き起し箱部、又は該引き起し箱部と背板部が接地する。このため、背板部に適宜の紐部材や係止部材、粘着部材等を適用して、壁面等に吊り下げて陳列することができるとともに、上述のように接地させて、立てて陳列することができる。つまり、商品を陳列する場所に応じて、吊り下げたり立てたり、適切な陳列が可能であり、たとえ狭い陳列スペースでも見やすい陳列や目立つ陳列が行え、販売効率を向上することができる。その上、吊り下げての陳列から立てての陳列への変更、又はその逆の変更に際して、商品陳列具を組替える必要は無く、手間は一切かからない。
【００２２】
しかも、商品陳列具は、背板部と表板部と引き起し箱部とを組み合わせた簡素な構成であるので、製造コストも低く抑えることができる。
【００２３】
請求項２に係る考案によれば、表板部の訴求部は、引き起こし箱部を引き起した時に、側面視傾斜Ｓ字曲線を描くので、そのやさしくやわらかい線により、斬新な外観が得られ、より一そう消費者の購買意欲に働きかけることができる。
【００２４】
請求項３に係る考案によれば、訴求部の下側に設けられた傾斜面部が、裾の長い印象を与え、接地時の安定感を表現しながら、訴求部との協働により、スリムさを醸し出すことができ、さらに良い外観を得られる。また、上記傾斜面部は、引き起し箱部の前面下側に位置することになるので、傾斜面部を広告スペースに使用すると、商品をより良好にアピールすることができる。さらに、スペーサ部が、傾斜面部を安定して支えるので、上述のような特徴ある形態を安定して保持できる。
【００２５】
請求項４に係る考案によれば、引き起し箱部の左右両側壁に形成したアール状又は傾斜状の縁部が、組立て時に引き起し箱部を引き起す作業を容易にする。つまり、引き起し箱部の引き起しに際しては、表板部をめくり上げなければならないが、上記縁部を形成しているため、めくり上げ量が少なくて済む。このため、組立てに際してめくり上げすぎて訴求部を損傷してしまうようなことを阻止できる。
【００２６】
請求項５に係る考案によれば、引き起し箱部内に仕切り部材を収納することで、複数の商品を整然と入れることができるようになるとともに、商品の数が少なくなっても、引き起し箱部の形態を安定して保持することができる。
【００２７】
請求項６に係る考案によれば、陳列する時に、係止用の貫通孔を利用して紐や係止部材を用いて連結することができる。例えば吊り下げて陳列する時には、最上段の商品陳列具を壁面等に固定したり吊り下げたりして取り付け、その下に別の商品陳列具を紐やフックなどで連結して、上下に複数連結することで、吊り下げ箇所は一箇所でも多数の商品を陳列することができ、陳列効率をよくすることができる。
【考案を実施するための最良の形態】
【００２８】
この考案を実施するための最良の一形態を、以下図面を用いて説明する。  
図１は、組み立てられた商品陳列具１１の斜視図であり、この一形態に例示した商品陳列具１１は、筒状形状や棒状形状などの立てて陳列する商品の陳列に適したものである。
【００２９】
この商品陳列１１は、紙製で、商品を収納する収納部１２の周りに、消費者の購買意欲に働きかける訴求部１３，１３を有している。
【００３０】
上記収納部１２は、組み立てた時に図示したような箱状になるもので、組立て前は、図２に示したような偏平形状である。
【００３１】
すなわちこの商品陳列具１１は、図３に示したように、３つの部材からなる。３つの部材とは、背板部材１４と表板部材１５と引き起し箱部材１６である。
【００３２】
背板部材１４は、立てても曲がらない剛性を有する厚紙製で、上端を上方へ凸の緩やかな円弧状にした縦なが長方形状に形成される。そして、四隅には、紐やフック等を係止するための円形の貫通孔１４ａを有し、上下方向の中間部には、表板部材１５と引き起し箱部材１６を固定するための円形の貫通孔１４ｂを有している。
【００３３】
表板部材１５は、光沢と可撓性を持たせた薄い合成紙からなり、上側部分が上記背板部材１４と同一形状で、その上下方向の長さを、背板部材１４のそれよりも長く設定している。そして、上端部の両側隅部には、上記係止用の貫通孔１４ａと同一形状の係止用の貫通孔１５ａを形成し、上下方向の中間部には、上記固定用の貫通孔１４ｂと対応する同一形状の固定用の貫通孔１５ｂを形成している。
【００３４】
また、この固定用の貫通孔１５ｂの高さから下側にかけてＨ字型の切欠部１７を形成している。切欠部１７は、上記訴求部１３を形成するとともに、左右両端位置から適宜幅内側に入った位置に、上下方向に適宜長さの縦溝１７ａ，１７ａを形成し、これらの長さ方向の中間部に、縦溝１７ａ，１７ａを繋ぐ横溝１７ｂを形成している。
【００３５】
そして、上記縦溝１７ａの下端位置に、第１山折り線１８を形成し、この第１山折り線１８から下側に適宜間隔へだてた位置に、第２山折り線１９を形成する。上記第１山折り線１８と第２山折り線１９との間が、上記訴求１３，１３から続いて形成される傾斜面部２０である。
【００３６】
該傾斜面部２０の下側には、スペーサ部２１を延設し、このスペーサ部２１のさらに下側には、第３山折り線２２を介して第１固定片２３を延設している。第１固定片２３は、表板部材１５の上側部分や訴求部１３，１３、傾斜面部２０が同一幅であるのに対して、それらより幅狭に設定される。その幅は、引き起し箱部材１６を組み立てた時の幅と同一か、それよりも狭く設定する。
【００３７】
また、上記第３山折り線２２の長さ方向の中間部には、長い横コ字状の切り込み２２ａを形成して、第３山折り線２２で折り曲げた時に引き起し箱部材１６側に突出する突片２４（図４参照）が形成されるようにしている。
【００３８】
さらに、上記第１固定片２３の表面には、両面接着テープの片面を固定して、離型紙２５ａを剥がせば接着可能となる粘着部２５を形成している。
【００３９】
同様の粘着部２５は、上記切欠部１７の横溝１７ｂと第１山折り線１８との間の第２固定片２６の裏面にも形成している。
【００４０】
このような表板部材１５は、その上側部分を、上記背板部材１４の表面に接着固定される。
【００４１】
上記引き起し箱部１６は、平面視四角い筒状に形成され、前壁２７と左右両側壁２８，２８と後壁２９とを有し、各壁２７，２８，２８，２９の下端には、それぞれ底フラップ２７ａ，２８ａ，２９ａを設け、これらを互いに組み合わせることで、引き起したときに底が形成できるようにしている。また、上記前壁２７とその底フラップ２７ａとの間における、左右方向の中間位置には、長い横コ字状の切り込み２７ｂを形成して、底フラップ２７ａ，２８ａ，２９ａを折り曲げた時に前方に突出する突片３０（図４参照）が形成されるようにしている。
【００４２】
そして前壁２７は後壁２９よりも高さを低く形成し、左右両側壁２８は、後壁２９の上端位置と前壁２７の上端位置とを上へ凸のアール状に連結する縁部２８ｂを上端に有している。
【００４３】
また、後壁２９の上記左右両隅には、上記固定用の貫通孔１４ｂと同一形状の固定用の貫通孔１６ｂを形成している。固定用の貫通孔１４ｂ，１５ｂ，１６ｂを利用しての３部材１４，１５，１６の固定（一体化）は、スナップ状のファスナ３１（図４参照）で行う。
【００４４】
なお、上記後壁２９の高さは、背板部材１４の上側部分に固定された表板部材１５の切欠部１７における縦溝１７ａの上端対応位置から、背板部材１４の下端に対応する位置までの高さである。
【００４５】
また、縦溝１７ａの長さは、引き起し箱部材１６の後壁２９の上端と、前壁１７の下端とを結ぶ線よりも短く、後壁２９の上端と前壁２７の上端とを結ぶ線よりも長く設定して、引き起し箱部材１６を引き起して組み立てた時に、図１、図４に示したように切欠部１７の両側の訴求部１３，１３が、側面視傾斜Ｓ字曲線を描くようにしている。
【００４６】
３つの部材１４，１５，１６の組み付けは、背板部材１４に対して表板部材１５をその上側部分同士で接合するとともに、表板部材１５の裏側に、偏平な引き起し箱部材１６を下から差し込んで、引き起し箱部材１６の後壁２９を接着固定する。そして、上記スナップ状のファスナ３１を３部材１４，１５，１６の固定用の貫通孔１４ｂ，１５ｂ，１６ｂに止めて行う。
【００４７】
また、この商品陳列具１１は、図５に示したような、仕切り部材３２を備えている。すなわち、この仕切り部材３２は、引き起し箱部材１６で形成される収納部１２、前後２列左右３列に仕切るもので、２つの仕切り部材担体３３，３４からなる。
【００４８】
ひとつは、収納部１２の左右方向の幅寸法に嵌合対応する長さの短冊状の第１仕切り部材担体３３で、長さ方向中間部における半分よりの上側位置に、２本の係止溝３３ａ，３３ａを有している。
【００４９】
他のひとつは、収納部１２の前後方向の幅寸法に嵌合対応する幅の第２仕切り部材担体３４で、幅方向の中間位置に、横方向に延びる１本の係止溝３４ａを形成している。仮想線で示したように平板状のものを、その左右方向の中間部に形成した２本の折り曲げ線３４ｂ，３４ｂで折り曲げることで、図に実線で示したような横コ字型になるように構成している。
【００５０】
これら第１仕切り部材担体３３と第２仕切り部材担体３４を組み合わせて仕切り部材３２を形成し、収納部１２に収納すると、商品を整然と収納することができるとともに、収納部１２、すなわち引き起し箱部材１６の引き起した形状を保つ。
【００５１】
このように構成した商品陳列具１１は、図２に示したように偏平であるが、引き起し箱部材１６を引き起すことで、図１に示したように立体的に組み立てられる。すなわち、まず、表板部材１５の下側部分をめくり上げ、引き起し箱部材１６を引き起し、続いて、引き起し箱部材１６の底フラップ２７ａ，２８ａ，２９ａを折り曲げて、相互に組み合わせ、引き起し箱部材１６の底を形成して形を保つ。このとき、前壁２７に形成した切り込み２７ｂの存在のため、前方に突出する突片３０が形成される。
【００５２】
つぎに、表板部材１５の第１山折り線１８で第２固定片２６を折り曲げて、この第２固定片２６の裏面を粘着部２５により、引き起し箱部材１６における前壁２７の裏面に固定する。
【００５３】
また、第２山折り線１９、第３山折り線２２で折り曲げて、第１固定片２３を、粘着部２５により引き起し箱部材１６における前壁２７の表面に固定する。上記第３山折り線２２で折り曲げた時に、突片２４が引き起し箱部材１６側に突出するので、この突片２４を、上記引き起し箱部材１６の突片３０の上側に差し込んで、組み合わせ、傾斜面部２０と訴求部１３，１３の形態を安定させる。
【００５４】
そして最後に、仕切り部材３２を引き起し箱部材１６の内側に入れて、商品を収納する。
【００５５】
展示は、引き起し箱部材１６と背板部材１４とを接地させた状態で立てて展示する（図６参照）ほか、紐やフックを上端に設けた係止用の貫通孔１４ａ，１５ａに係止して、吊り下げ状態で展示することもできる。
【００５６】
係止用の貫通孔１４ａは下端にも設けているので、図７に示したように、下端の貫通孔１４ａと別の商品陳列具１１における上端の貫通孔１４ａ，１５ａとを、例えばＳ字フック３５や紐等を用いることにより連結すれば、壁面等への取り付けは一箇所でも、複数の商品陳列具１１を展示することができ、展示効率をよくすることができる。
【００５７】
上述したように、商品を収納する収納部１２の周りに特異な形状の訴求部１３，１３を設けたので、新規な外観を得られ、消費者の購買意欲に働きかけることができる。その上、訴求部１３，１３は側面視傾斜Ｓ字曲線を描くので、そのやさしくやわらかい線により、斬新な外観が得られ、より一そう消費者の購買意欲に働きかけることができる。
【００５８】
しかも訴求部１３，１３は、引き起し箱部材１６に支えられて前方に突出しているので、常に訴求部１３，１３は所望の形態を維持でき、上記効果を持続できる。この効果は、訴求部１３，１３の形態を維持するのが、商品を収納する引き起し箱部材１６であることによって、また、仕切り部材３２を備えたことによって、さらに確実になる。
【００５９】
また、商品の陳列に際しては、偏平状の形態から、引き起し箱部材１６を引き起して組み立てればよいので、その組立て作業は容易であるとともに、組立て前は嵩が低く、取り扱いが便利であるという利点も有する。組立ての容易さは、引き起し箱部材１６の左右両側壁２８に形成したアール状の縁部２８ｂによっても、もたらされる。つまり、引き起し箱部材１６の引き起しに際しては、表板部材１５をめくり上げなければならないが、上記縁部２８ｂを形成しているため、めくり上げ量が少なくて済む。また、組立てに際して表板部材１５をめくり上げすぎて訴求部１３を損傷してしまうようなことを阻止できる。
【００６０】
そして組み立てた時には、立体的な形状になって、引き起し箱部材１６と背板部材１４が接地する。このため、立てて陳列することができるとともに、背板部材１４に適宜の紐部材や係止部材、粘着部材等を適用して、壁面等に吊り下げて陳列することもできる。つまり、たとえ狭い陳列スペースでも見やすい陳列や目立つ陳列が適宜行え、販売効率を向上することができる。しかも、上記２通りの陳列方法の変更に際しては、商品陳列具１１を組替える必要がなく、簡単である。
【００６１】
さらに、商品陳列具１１は、背板部材１４と表板部材１５と引き起し箱部材１６とを組み合わせた簡素な構成であるので、製造コストも低く抑えることができる。
【００６２】
また、訴求部１３の下側には傾斜面部２０が設けられているので、裾の長い印象を与え、接地時の安定感を表現しながら、訴求部１３との協働により、スリムさを醸し出すことができ、さらに良い外観を得られる。また、上記傾斜面部２０は、引き起し箱部材１６の前面下側に位置することになるので、傾斜面部２０を広告スペースに使用することで、商品をより良好にアピールすることが可能になる。
【００６３】
さらに、各固定片２３，２６には粘着部２５を設けており、接着により組立て状態を保持するように構成しているので、組み立てた形態は、しっかりとした強固なものとなる。
【００６４】
この考案の構成と、上記一形態の構成との対応において、  
この発明の背板部は、上記一形態における背板部材１４に対応し、  
以下同様に、  
表板部は、表板部材１５に対応し、  
引き起し箱部は、引き起し箱部材１６に対応し、  
貫通孔は、貫通孔１４ａ，１５ａに対応するも、  
この発明は上記一形態の構成のみに限定されることはなく、様々な形態を採用し得る。
【００６５】
例えば、引き起し箱部材に底フラップを形成せずに、引き起した引き起し箱部材に引っ掛けて吊り下げるようにして止める仕切り部材を備えることで、引き起し箱部材の引き起し状態を保つようにするもよい。
【００６６】
また、例えば図８に示したように、商品陳列具１１の上側部分の表面に、テスター又は見本を収納する補助収納部３６を設けるもよい。このような補助収納部３６を設けると、場所を取らずにテスターを置くことができる。
【図面の簡単な説明】
【００６７】
【図１】商品陳列具の斜視図。
【図２】商品陳列具の組立て前の斜視図。
【図３】商品陳列具の分解斜視図。
【図４】商品陳列具の縦断面図。
【図５】仕切り部材の分解斜視図。
【図６】カウンタディスプレイした商品陳列具の斜視図。
【図７】ハンガディスプレイした商品陳列具の斜視図。
【図８】他の例に係る商品陳列具の斜視図。
【符号の説明】
【００６８】
１１…商品陳列具
１３…訴求部
１４…背板部材
１４ａ…貫通孔
１５…表板部材
１５ａ…貫通孔
１６…引き起し箱部材
１７…切欠部
２０…傾斜面部
２１…スペーサ部
２８…左右両側壁
２８ｂ…縁部
３２…仕切り部材
【図１】
0003105793.tif 000003
【図２】
0003105793.tif 000004
【図３】
0003105793.tif 000005
【図４】
0003105793.tif 000006
【図５】
0003105793.tif 000007
【図６】
0003105793.tif 000008
【図７】
0003105793.tif 000009
【図８】
0003105793.tif 000010